(57)【要約】      （修正有）【課題】被写体に照明光を照らしながら液晶パネルで撮影画面を確認することができ、使用者に快適な撮影状態を提供する。【解決手段】表示装置４は、外装ケースに姿勢変更可能に取り付けられたパネルケース２１と、液晶パネル２２と、液晶パネル２２側とその反対側に光を放射する光源手段２３と、液晶パネル２２の表示面２２ａと反対側の面に設けられ且つ光源手段２３の少なくとも一部を露出させる光源用開口部２６と、光源用開口部２６を開閉可能としてパネルケース２１に設けられると共に光源手段２３の光源用開口部２６側に放射される光Ｌ２を液晶パネル２２側に反射させる開閉反射手段２７と、を設けた。【選択図】図５
2007235575.tif 000002
【特許請求の範囲】
【請求項１】
カメラ筐体に姿勢変更可能に取り付けられた表示装置を有する撮像装置であって、
前記表示装置は、前記カメラ筐体に姿勢変更可能に取り付けられた表示装置筐体と、
前記表示装置筐体の一面に表示面が露出される液晶パネルと、
前記液晶パネルの背面に配置されると共に前記液晶パネル側とその反対側に光を放射する光源手段と、
前記表示装置筐体の前記液晶パネルの表示面と反対側の面に設けられ且つ前記光源手段の少なくとも一部を露出させる開口窓と、
前記開口窓を開閉可能として前記表示装置筐体に設けられると共に前記光源手段の前記開口窓側に放射される光を前記液晶パネル側に反射させる開閉反射手段と、を設けたことを特徴とする撮像装置。
【請求項２】
前記開閉反射手段は、
前記表示装置筐体にヒンジ手段により取り付けられて前記開口窓を開閉可能とした開閉扉と、
前記開閉扉の内面に形成された反射部材と、を有することを特徴とする請求項１記載の撮像装置。
【請求項３】
前記開閉反射手段は、
前記表示装置筐体にそれぞれヒンジ手段により取り付けられて前記開口窓を開閉可能とした複数枚の開閉扉と、
前記複数の開閉扉の内面にそれぞれ形成された当該開閉扉の枚数と同数の反射部材と、を有することを特徴とする請求項１記載の撮像装置。
【請求項４】
前記開閉反射手段は、
前記表示装置筐体にスライド可能に支持されて前記開口窓を開閉可能とした開閉扉と、
前記開閉扉の内面に形成された反射部材と、を有することを特徴とする請求項１記載の撮像装置。
【請求項５】
前記光源手段は、前記液晶パネルの外縁から外側に突出する拡張部を有し、
前記拡張部に対向させて前記開口窓を設け、
前記拡張部の前記開口窓と反対側に当該拡張部から放射される光を反射させる反射部材を設けたことを特徴とする請求項１記載の撮像装置。
【請求項６】
前記表示装置筐体の内面に、前記光源手段の前記開口窓側に放射される光を前記液晶パネル側に反射させる反射部材を設けたことを特徴とする請求項１記載の撮像装置。
【請求項７】
前記光源手段は、
前記液晶パネルの背面に配置されると共に供給された光を前記液晶パネル側とその反対側に導く導光部材と、
前記導光部材に光を供給する光源と、を有することを特徴とする請求項１記載の撮像装置。
【請求項８】
前記光源手段は、
前記導光部材によって前記液晶パネル側に導かれた光を拡散する第１の拡散部材と、
前記第１の拡散部材によって拡散された光を前記液晶パネル側に集光する第１のプリズム部材と、を有することを特徴とする請求項７記載の撮像装置。
【請求項９】
前記導光部材は、
前記導光部材によって前記開口窓側に導かれた光を拡散する第２の拡散部材と、
前記第２の拡散部材によって拡散された光を前記開口窓側に集光する第２のプリズム部材と、を有することを特徴とする請求項７記載の撮像装置。
【請求項１０】
前記光源手段は、
平板状のエレクトロルミネッセンス発光体と、
前記エレクトロルミネッセンス発光体を両面から挟持する一対の透明電極部材と、を有することを特徴とする請求項１記載の撮像装置。
【発明の詳細な説明】
【技術分野】
【０００１】
本発明は、液晶パネルを有する表示装置を備えた撮像装置に関し、特に、液晶パネルに供給する光の一部を、被写体を照らす照明光として利用可能にした撮像装置に関するものである。
【背景技術】
【０００２】
従来の、この種の撮像装置としては、例えば、特許文献１に記載されているようなものがある。特許文献１には、液晶パネルをビデオライトとして利用した新規なビデオカメラに関するものが記載されている。この特許文献１に記載されたビデオカメラは、「バックライト方式の液晶パネルがカメラ本体に搭載されたビデオカメラであって、切替スイッチにより前記液晶パネルを全白にし、このときの液晶パネルからの光をビデオライトとして使用するようにした」ことを特徴としている。
【０００３】
このような構成を有する特許文献１に記載のビデオカメラによれば、「液晶パネルの全白のとき光量が最大となる現象を利用して、対面撮影の状態で液晶パネルを全白に切替えてビデオライトとして使用するようにしたので、ビデオライトのアクセサリが不要となる（段落［００１３］を参照）」等の効果が期待される。
【０００４】
従来の撮像装置の他の例としては、例えば、特許文献２に記載されているようなものもある。特許文献２には、液晶表示装置、および液晶パネル用の光源を直接ビデオライトとして利用するデジタルビデオカメラ、デジタルスチルカメラ等の撮像装置に関するものが記載されている。この特許文献２に記載された撮像装置は、「液晶パネルと、この液晶パネルの側部に配置した照明手段と、この照明手段の光を前記液晶パネルに導く導光板とを有し、開閉回転機構を介して撮像装置本体に連結して、被写体を前記液晶パネルに表示する液晶表示装置であって、前記液晶パネルを視認可能にするために液晶表示装置本体を開いた際に、液晶表示装置本体において被写体側を向く部位に開口部を設け、前記照明手段の光の向きを前記導光板から前記開口部に切り替える切り替え手段を設けた」ことを特徴としている。
【０００５】
このような構成を有する特許文献２に記載の撮像装置によれば、「照度不足を補うための、液晶パネル用光源の消費電力の増加、点灯回路規模の拡大が不要となり、ビデオカメラ、デジタルスチルカメラ本体の大きな構造変更することなく、省電力下にビデオライト機能を追加できる（段落［００４３］を参照）」という効果が期待される。
【０００６】
また、従来の撮像装置の更に他の例としては、例えば、特許文献３に記載されているようなものもある。特許文献３には、液晶表示パネルのバックライト光として使用される光源を、夜間等における被写体の照明に使用できるようにした撮像装置に関するものが記載されている。この特許文献３に記載された撮像装置は、「カメラ本体部にヒンジ部を介して開閉可能であり、かつ所定の角度に旋回自在にされるようにし、光学レンズからの撮影画像をモニタ表示できるようにした表示パネル部と、上記光学レンズからの撮影画像を直接見ることのできるビューファインダとを備えた撮像装置において、上記表示パネル部に液晶表示素子からなる液晶表示部と、上記液晶表示部の背後で、上記表示パネル部をくり抜き、当該表示パネル部の端面に挿入口を有する空間部と、上記液晶表示部とは反対側の表示パネル部の背面を切り抜いて開口されている照明用窓部と、照明光となる光源と、上記光源からの光が上記液晶表示部のバックライト光として利用され、又は上記照明用窓部から照明光として被写体を照明するための照明光切換手段と、から構成した」ことを特徴としている。
【０００７】
このような構成を有する特許文献３に記載の撮像装置によれば、「表示パネル部の構成を変えることなく小型化を維持したままの状態で、夜間等において被写体を照明するための照明光として利用することができる（段落［００１１］を参照）」等の効果が期待される。
【特許文献１】特開平１０−１２６６５５号公報
【特許文献２】特開２００２−３１１４３５号公報
【特許文献３】特開２００５−７９７０２号公報
【０００８】
しかしながら、特許文献１に記載されたビデオカメラにおいては、液晶パネルを全白にしてその液晶パネルを透過したバックライトの光を被写体に照射する照明光として利用する構成となっていた。そのため、バックライトの光を照明光として利用しているときには、液晶パネルで撮影画面を確認することができなかった。その際、ビューファインダ装置によって撮影画面を確認することはできるが、ビューファインダ装置を覗きながらの撮影は、例えば、移動しながら撮影する場合には不向きであり、使用者に快適な撮影状態を提供することができないという問題があった。更に、一般的な液晶パネルは、バックライトからの光の大部分を吸収し、光の透過率が１０％程度であることから、被写体との距離が離れている場合に照明装置としての機能を果たすには不十分であった。
【０００９】
また、特許文献２に記載された撮像装置においては、照明手段の光を、導光板と液晶表示装置本体の開口部とに選択的に向けるための切り替え手段（エッジライト用リフレクタ）を有する構成となっていた。そのため、特許文献１に記載されたビデオカメラと同様に、照明手段の光を照明光として利用しているときには、液晶パネルで撮影画面を確認することができなかった。更に、液晶表示装置本体には切り替え手段を実装するためのスペースが必要になり、液晶表示装置全体の大型化を招くという問題もあった。
【００１０】
特許文献３に記載された撮像装置においては、背面に照明用窓部が設けられた表示パネル部と、光反射面を備えた導光板等からなる照明光切換手段（光反射部材）とを備え、照明光切換手段が表示パネル部に着脱可能に装着される構成となっていた。そして、照明光切換手段を表示パネル部から取り外し、反転させて差し替えることにより、光源から供給される光を液晶表示部と照明用窓部とに選択的に向けることが可能となっていた。そのため、特許文献１に記載されたビデオカメラ及び特許文献２に記載された撮像装置と同様に、光源から供給される光を照明光として利用しているときには、液晶表示部で撮影画面を確認することができなかった。更に、照明光切換手段と液晶表示部の間に塵や埃等のゴミが入り込む可能性があり、表示画面の品位を低下させるおそれがあると共に、照明光切換手段の差し替え作業に手間がかかって使用者に煩雑な思いをさせるという問題もあった。
【発明の開示】
【発明が解決しようとする課題】
【００１１】
解決しようとする問題点は、液晶パネルを有する表示装置を照明装置として使用するために、液晶パネルの表示面を白くして明るくすると、表示面に映し出される被写体の像を撮影者が認識できなくなり、また、光源を切り替えて照明光に振り向け、液晶パネルに光を供給しないようにすると、液晶パネルを表示面として使用できなくなる、という点である。
【課題を解決するための手段】
【００１２】
本発明の撮像装置は、カメラ筐体に姿勢変更可能に取り付けられた表示装置を有する撮像装置であって、表示装置は、カメラ筐体に姿勢変更可能に取り付けられた表示装置筐体と、表示装置筐体の一面に表示面が露出される液晶パネルと、液晶パネルの背面に配置されると共に液晶パネル側とその反対側に光を放射する光源手段と、表示装置筐体の液晶パネルの表示面と反対側の面に設けられ且つ光源手段の少なくとも一部を露出させる開口窓と、開口窓を開閉可能として表示装置筐体に設けられると共に光源手段の開口窓側に放射される光を液晶パネル側に反射させる開閉反射手段と、を設けたことを最も主要な特徴とする。
【発明の効果】
【００１３】
本発明の撮像装置によれば、表示装置の開閉反射手段を開いて開口窓から光源手段を露出させることにより、その光源手段から放射される光を照明光として利用することができると共に、その照明光で照らされた被写体の撮影する撮影画面を液晶パネルによって確認することができる。そのため、被写体に照明光を照らして好適な撮影環境を演出できると共に、液晶パネルによる大きくてきれいな画面を見て快適な撮影を行うことができる。
【発明を実施するための最良の形態】
【００１４】
被写体に照明光を照らしながら液晶パネルで撮影画面を確認することができ、使用者に快適な撮影状態を提供することができる撮像装置を、簡単な構成によって実現した。
【００１５】
図１〜図１５は、本発明の実施の形態の例を説明するものである。即ち、図１は本発明の撮像装置の第１の実施の形態を示すデジタルビデオカメラの表示装置を開いた状態を正面側から見た斜視図、図２は図１に示す状態から表示装置の開閉反射手段を開いた状態を正面側から見た斜視図、図３は表示装置の開閉反射手段を閉じた状態の縦断面図、図４は同じく開閉反射手段を開いた状態の縦断面図、図５は表示装置の開閉反射手段を閉じた状態の横断面図、図６は同じく開閉反射手段を開いた状態の横断面図である。図７は開閉反射手段の反射部材の他の例を示す説明図である。
【００１６】
図８は本発明に係る光源手段の第２の実施例を示す説明図、図９は同じく光源手段の第３の実施例を示す説明図、図１０は本発明の撮像装置の第２の実施の形態を示すデジタルビデオカメラの斜視図、図１１は同じく本発明の撮像装置の第３の実施の形態を示す斜視図、図１２は同じく本発明の撮像装置の第４の実施の形態を示す斜視図、図１３は図１２に示す表示装置の縦断面図、図１４は本発明の撮像装置の第５の実施の形態を示すデジタルスチルカメラを正面側から見た斜視図、図１５は図１４に示すデジタルスチルカメラの背面図である。
【００１７】
図１及び図２は、本発明の撮像装置の第１の実施の形態を示すデジタルビデオカメラ１である。このデジタルビデオカメラ１は、情報記憶媒体の一具体例としてカセットケース内に磁気テープを収納したテープ状記憶媒体（例えば、テープカセット等）を使用し、光学的な画像をＣＣＤ（電荷結合素子）で電気的な信号に変換してテープ状記憶媒体に記録したり、液晶ディスプレイを有する表示装置に表示できるようにしたものである。しかしながら、情報記憶媒体としては、テープ状記憶媒体に限定されるものではなく、光ディスク、光磁気ディスク、磁気ディスク等のディスク状記憶媒体や、半導体記憶媒体等を用いることができることは勿論である。
【００１８】
デジタルビデオカメラ１は、カメラ筐体の一具体例を示す外装ケース２と、この外装ケース２の内部に収納されると共に着脱自在に装着される情報記憶媒体としてのテープカセットの磁気テープを走行駆動して情報信号の記録（書き込み）及び再生（読み出し）を行うテープドライブ装置（メカデッキ）と、このテープドライブ装置の駆動制御等を行う制御回路と、被写体の像を光として取り込んでＣＣＤに導くレンズ装置３と、外装ケース２に姿勢変更可能に取り付けられた表示装置４等を備えて構成されている。
【００１９】
図１及び図２に示すように、外装ケース２は、横長の略直方体をなす中空の筐体からなり、長手方向を前後方向に設定したような状態で使用されている。この外装ケース２の前部にレンズ装置３が配設されている。レンズ装置３は、そのレンズ系の光軸を水平方向に向けた状態で外装ケース２に取り付けられている。この外装ケース２の内部において、レンズ装置３の後部にＣＣＤが取り付けられている。そして、レンズ装置３の後方にビューファインダ装置６が配置されている。
【００２０】
外装ケース２の上部には、外付けビデオライトや外付けマイクロホン等のアクセサリーが着脱自在に装着されるアクセサリーシューを露出させる開口部が設けられている。アクセサリーシューは、ビューファインダ装置６の直前に配置されており、通常は、開口部を開閉するシューキャップ７によって着脱可能に覆われている。更に、外装ケース２の前面の下部には、ステレオ方式のマイクロホン８が内蔵されて設けられている。そして、レンズ装置３の前面の上部には、外装ケース２に一体的に設けられているフラッシュ装置の発光部９が配置されている。
【００２１】
外装ケース２の一方の側面には、この外装ケース２を把持するための把持部１０が設けられている。この把持部１０は、その内部に収納された、図には表れないメカデッキのカバー部材を兼ねている。この把持部１０の上部を外側へ開くことにより、内蔵されたメカデッキのカセット挿入口が露出され、テープカセットの着脱操作が可能となっている。
【００２２】
更に、把持部１０の上部後方には、モード選択スイッチを兼ねる電源スイッチ１２と、静止画の撮影を行うシャッタボタン１３と、所定の範囲内で画像を連続的に拡大（テレ）又は縮小（ワイド）させるズームボタン１４が設けられている。更に、電源スイッチ１２の下方には、図には表れない録画ボタンが設けられている。また、図示しないが、電源スイッチ１２の下方には録画ボタンが設けられており、その録画ボタンの横、即ち外装ケース２の背面には、携帯用電源であるバッテリー装置が着脱可能に装着されるバッテリー収納部が設けられている。
【００２３】
外装ケース２の把持部１０と反対側の面には、表示装置４が姿勢変更可能に取り付けられている。図３及び図４に示すように、表示装置４は、表示装置筐体の一具体例を示すパネルケース２１と、このパネルケース２１の一面に表示面２２ａが露出される液晶パネル２２と、液晶パネル２２の背面に配置される光源手段２３等を備えて構成されている。
【００２４】
表示装置４のパネルケース２１は、略直方体をなす偏平の筐体からなり、一方の平面に液晶パネル２２の表示面２２ａを露出させるための液晶用開口部２５が設けられている。また、パネルケース２１の液晶用開口部２５と反対側の平面には、開口窓の一具体例を示す光源用開口部２６が設けられている。光源用開口部２６は、横長の略長方形をなす角穴に形成されており、この光源用開口部２６によって光源手段２３の液晶パネル２１と反対側の面が露出される。更に、パネルケース２１の光源用開口部２６の一方の長辺には、開閉反射手段２７を開閉する際に指先を差し込むための凹陥部２６ａが設けられている。この凹陥部２６ａは、平面形状が略半円状とされていて、直線部から円弧部に至るに伴って逐次的に低くなるように勾配を有する形状とされている。
【００２５】
また、パネルケース２１には、光源用開口部２６を開閉可能な開閉反射手段２７が設けられている。この開閉反射手段２７は、図４等に示すように、パネルケース２１にヒンジ手段により取り付けられて光源用開口部２６を開閉可能な開閉扉２８と、この開閉扉２８の内面に形成された反射部材の一具体例を示す反射板２９等から構成されている。開閉反射手段２７の開閉扉２８は、光源用開口部２６に見合った略長方形の板体からなり、光源用開口部２６を閉じた状態おいてパネルケース２１の一部をなして同一面を形成するように構成されている。
【００２６】
開閉扉２８には、両側面の上部を水平方向に貫通する扉軸受穴２８ａが設けられており、この扉軸受部２８ａと、パネルケース２１に設けられた図に表れないケース軸受孔と、これら両軸受孔を貫通するヒンジ軸３０によりヒンジ手段が構成されている。これにより、開閉扉２８は、パネルケース２１に取り付けられてヒンジ軸３０を回動中心として上下方向へ回動可能に構成されている。また、ヒンジ軸３０には、開閉扉２８とパネルケース２１との間に摩擦抵抗を生じさせる図示しないばね部材（例えば皿ばね、コイルバネ等）が介在されており、そのばね部材のばね力により、パネルケース２１に対して開閉扉２８を任意の傾斜角度で保持できるようになっている。
【００２７】
本実施の形態においては、開閉扉２８を上下方向に回動させる構成としたが、本発明に係る開閉扉としては、これに限定されるものではなく、例えば、水平方向に回動させる構成とすることができることは勿論、開閉扉を２つに分けて観音扉とすることもできるものである。
【００２８】
開閉反射手段２７の反射板２９は、開閉扉２８の内面の略全面を覆う大きさに設定された薄板となっている。この反射板２９は、開閉反射手段２７を閉じた状態で光源手段２３に対向され、その光源手段２３から光源用開口部２６側に放射される光を、液晶パネル２２側に反射させる。このような反射板２９の材質としては、アルミニウム合金を挙げることができるが、これに限定されるものではなく、例えば、ステンレス鋼、その他光を反射させる材質、いわゆる高反射特性を有する材質を適用することができるものである。
【００２９】
本実施の形態においては、反射部材として反射板２９を用いる構成としたが、本発明に係る反射部材としては、反射板に限定されるものではなく、図７に示すように、開閉扉２８の内面にアルミニウム等の金属を蒸着或いは塗装して形成する反射層３９を適用することもできる。この場合、反射部材として反射板を適用した場合に比べ、開閉反射手段２７の厚みを薄くすることができ、表示装置４全体の小型化及び軽量化を図ることができる。
【００３０】
また、本実施の形態においては、開閉扉２８の内面に反射板２９を設ける構成としたが、開閉扉２８の内面だけでなく、パネルケース２１の光源用開口部２６側の内面にも反射板を設ける構成としてもよい。このような構成は、例えば、開閉扉が光源手段に比べて小さい場合により有効であり、光源手段２３から光源用開口部２６側に放射される光の略全部を液晶パネル２２側に反射させることができ、液晶パネル２２の表示面２２ａの輝度をより向上させることができる。
【００３１】
液晶パネル２２は、横長矩形の平板状をなしており、一方の平面が像を表示する表示面２２ａとされている。この液晶パネル２２の表示面２２ａは、パネルケース２１の液晶用開口部２５によって露出されている。液晶パネル２２としては、例えば、背面に配置された光源手段２３から供給される光によって表示面２２ａに像を表示する、いわゆる透過型液晶ディスプレイや、半透過型液晶ディスプレイを適用することができる。ここで、半透過型液晶ディスプレイは、透過型液晶と反射型液晶の特徴を併せ持つもので、液晶の奥にマジックミラーのようなミラー部（板）を配し、更にその後ろに通常のバックライトを置いたような構造をもっている。この半透過型液晶ディスプレイによれば、外光が強い場所ではその外光をミラー部で反射させて表示面２２ａに像を表示し、外光のない暗い場所では光源手段２３から供給される光を、ミラー部を透過させて表示面２２ａに像を表示することができる。
【００３２】
図５及び図６等に示すように、光源手段２３は、パネルケース２１の一方の側面の内側に配置されると共に光を放射する光源３１と、この光源３１から放射される光を液晶パネル２２側とその反対側であるパネルケース２１の光源用開口部２６側とに導く導光部材３２と、導光部材３２によって液晶パネル２２側に導かれた光を拡散する第１の拡散部材３３と、第１の拡散部材３３によって拡散された光を液晶パネル２２側に集光する第１のプリズム部材３４等から構成されている。
【００３３】
本実施の形態では、光源手段２３の光源３１として、発光ダイオードと蛍光体の組み合わせから構成される白色発光ダイオードを適用している。この白色発光ダイオードは、例えば、青色発光ダイオードと、この青色発光ダイオードの発光部を覆うと共に黄色の蛍光体が塗布されたカバー部材との組み合わせによって構成される。しかしながら、本発明に係る光源としては、白色発光ダイオードに限定されるものではなく、赤色・緑色・青色（ＲＧＢ）の３色の発光ダイオードを組み合わせることによって白色を発光する３色発光ダイオードや、蛍光管等を適用することができるものである。
【００３４】
光源手段２３の導光部材３２は、略楔形をなす板体からなっている。この導光部材３２の表面には、微細な凹凸加工が施されており、これにより、側方から放射される光源３１の光の一部を液晶パネル２２側へ導き、残りの光を光源用開口部２６側に導くようになっている。この導光部材３２は、本実施の形態において、液晶パネル２２側へ導く光量と光源用開口部２６側へ導く光量とが略同等となるように設定されている。しかしながら、本発明に係る導光部材としては、これに限定されるものではなく、液晶パネル２２側へ導く光量と光源用開口部２６側へ導く光量とを適宜な割合に設定することができることは勿論である。
【００３５】
光源手段２３のプリズム部材３４は、第１の拡散部材３３によって拡散された光を液晶パネル２２側に集光することで、液晶パネル２２の表示面２２ａの輝度を上昇させるものである。このようなプリズム部材としては、例えば、住友スリーエム株式会社の「輝度上昇フィルム（ＢＥＦ）」を挙げることができる。しかしながら、本発明に係るプリズム部材としては、これに限定されるものではなく、この種の光を集光して輝度を上昇させる各種の部材を用いることができるものである。
【００３６】
図１等に示すように、表示装置４は、パネルケース２１の側部に連結された回動支持部４０を介して外装ケース２に取り付けられている。この回動支持部４０は、垂直軸を回動中心としてパネルケース２１を水平方向に略９０度回動可能とした水平回動部と、水平軸を回動中心としてパネルケース２１を前後方向に略１８０度回動可能とすると共に、更に加えて上下方向へ略９０度回動可能として合計約２７０度回動可能とした前後回動部とを有している。
【００３７】
これにより、表示装置４は、外装ケース２の側面に収納した収納状態と、図１等に示すようにパネルケース２１を水平方向へ９０度回動させて液晶パネル２２を後方へ対向させた状態と、その状態からパネルケース２１を１８０度回動させて液晶パネル２２を前方へ対向させた状態と、液晶パネル２２を後方へ対向させた状態から更に後方へ９０度回動させて液晶パネル２２を下方へ向けた状態と、それらの中間位置の任意の状態（姿勢）を取ることができるようになっている。
【００３８】
上述したような構成を有するデジタルビデオカメラ１は、例えば、次のようにして表示装置４の光源手段２３から放射される光の一部を、被写体を照らす照明光として利用することができる。図５は、光源手段２３から放射される光を、被写体を照らす照明光として利用しない状態の表示装置４を示すものであり、この場合、表示装置４のパネルケース２１に設けた光源用開口部２６は、開閉反射手段２７によって閉じられている。この状態において、光源手段２３の光源３１から放射される光Ｌは、導光部材３２によって液晶パネル２２側に導かれる光Ｌ１と、光源用開口部２６側に導かれる光Ｌ２とに分けられる。
【００３９】
このとき、光源用開口部２６側に進行する光Ｌ２は、光源用開口部２６を閉じた開閉反射手段２７の反射板２９によって反射され、液晶パネル２２側に進行する光Ｌ２´となる。これにより、光源手段２３の光源３１から放射される光Ｌは、光Ｌ１と光Ｌ２´として略全部が液晶パネル２２に供給される。その結果、液晶パネル２２の表示面２２ａの輝度を充分に確保することができ、明るい日差しの下でも表示面２２ａに表示された像を鮮明にして確実に視認することができる。
【００４０】
このような状態から、表示装置４の光源手段２３の光の一部を、被写体を照らす照明光として利用するには、まず、ヒンジ軸３０を回動中心として開閉反射手段２７を上方に回動させ、図６に示すように、表示装置４のパネルケース２１に設けた光源用開口部２６を開く。これにより、光源用開口部２６から光源手段２３の導光部材３２が露出される。この状態において、光源手段２３の光源３１から放射される光Ｌは、開閉反射手段２７により光源用開口部２６を閉じた場合と同様に、導光部材３２によって液晶パネル２２側に導かれる光Ｌ１と、光源用開口部２６側に導かれる光Ｌ２とに分けられる。
【００４１】
このとき、光源用開口部２６側に進行する光Ｌ２は、光源用開口部２６を通って表示装置４の外部に放射される。そして、表示装置４の姿勢を変更して光源用開口部２６を被写体に向けることにより、その光源用開口部２６を通って放射される光Ｌ２を、被写体を照らす照明光として利用することができる。これと同時に、液晶パネル２２には光Ｌ１が供給されるため、その液晶パネル２２の表示面２２ａに像を表示することができ、撮影者は表示面２２ａで撮影画面を確認しながら撮影することができる。
【００４２】
この際、光源手段２３から液晶パネル２２に供給される光は、光Ｌ１のみであり、開閉反射手段２７によって光源用開口部２６を閉じた状態（図５に示す状態）よりも、光量が光Ｌ２´分だけ削減され、表示面２２ａの輝度を低下させてしまう。しかしながら、光源手段２３から放射される光Ｌ２を、被写体を照らす照明光として利用する場合は、例えば、夜間や暗い室内等の撮影場所が暗い場合である。そして、そのような撮影場所が暗い場合においては、液晶パネル２２の表示面２２ａに必要な輝度を、日差しの下で要求される表示面２２ａの輝度よりも低く抑えても充分に像を視認することができる。そのため、液晶パネル２２に供給される光が光Ｌ１のみであっても、その表示面２２ａに映し出される像を視認することができ、使用者に快適な撮影状態を提供することができる。
【００４３】
図８は、本発明の撮像装置に係る光源手段の第２の実施例を説明するための説明図である。液晶パネル２２の背面に配置された光源手段４３は、第１の実施の形態の表示装置４の光源手段２３に加えて第２の拡散部材４４と第２のプリズム部材４５とを設けたものである。即ち、光源手段４３は、光源３１と、導光部材３２と、第１の拡散部材３３と、第１のプリズム部材３４と、導光部材３２によって光源用開口部２６側に導かれた光を拡散する第２の拡散部材４４と、この第２の拡散部材４４によって拡散された光を光源用開口部２６側に集光する第２のプリズム部材４５等から構成されている。
【００４４】
第２の拡散部材４４は、第１の拡散部材３３と同一の部材であり、導光部材３２の光源用開口部２６に対向する面に配置されている。第２のプリズム部材４５は、第１にプリズム部材３４と同一の部材であり、第２の拡散部材４４の導光部材３２と反対側の面に重ねて配置されている。
【００４５】
このような構成を有する光源手段４３においても、光源３１から放射される光Ｌが、導光部材３２により液晶パネル２２側に導かれる光Ｌ１と、光源用開口部２６側に導かれる光Ｌ２とに分けられる。そして、開閉反射手段２７により光源用開口部２６を開くことで、光Ｌ２を光源用開口部２６外側に放射することができる。
【００４６】
その結果、光Ｌ２を、被写体を照らす照明光として利用しながら、液晶パネル２２で撮影画面を確認することができ、撮影者に快適な撮影状態を提供することができる。しかも、導光部材３２の光源用開口部２６側に第２の拡散部材４４と第２のプリズム部材４５を設けたことにより、光Ｌ２を光源用開口部２６側に集光することができ、被写体を照らす照明光の効率を向上させることができる。
【００４７】
図９は、本発明の撮像装置に係る光源手段の第３の実施例を説明するための説明図である。液晶パネル２２の背面に配置された光源手段５３は、エレクトロルミネッセンス発光体（ＥＬ発光体）の一具体例を示す平板状の有機ＥＬ発光体５４と、この有機ＥＬ発光体５４を両面から挟持する一対の透明電極部材５５ａ，５５ｂと、透明電極部材５５ａと液晶パネル２２との間に介在されるガラス等の透明基板５６等から構成されている。
【００４８】
有機ＥＬ発光体５４は、例えば、液晶パネル２２側から順に、正孔注入層、正孔輸送層、発光層、電子輸送層、電子注入層を積層して形成されている。本実施例では、ＥＬ発光体の一具体例として有機ＥＬ発光体を適用したが、これに限定されるものではなく、無機ＥＬ発光体を適用することもできるものである。
【００４９】
一対の透明電極部材５５ａ，５５ｂは、光と電気を通す事が可能な部材であり、例えば、ＩＴＯ（酸化インジウムスズ）等の透明導電膜を挙げることができる。これら一対の透明電極部材５５ａ，５５ｂ間に図示しない電源手段で電圧を印加することにより、有機ＥＬ発光体５４に発光が生じるようになっている。そして、有機ＥＬ発光体５４から放射された光は、一対の透明電極部材５５ａ，５５ｂから外側に進行される。
【００５０】
このような構成を有する光源手段５３においても、有機ＥＬ発光体５４を発光させることで、液晶パネル２２側に光Ｌ１が放射され、光源用開口部２６側に光Ｌ２が放射される。そして、開閉反射手段２７により光源用開口部２６を開くことで、光Ｌ２を光源用開口部２６の外側に放射することができる。
【００５１】
その結果、光Ｌ２を、被写体を照らす照明光として利用しながら、液晶パネル２２の表示面２２ａで撮影画面を確認することができ、撮影者に快適な撮影状態を提供することができる。しかも、光源手段５３は、有機ＥＬ発光体５４を発光させることで光を放射するため、その光源手段５３の両面から均一に光が放射され、ムラがなく安定した光を供給することができる。
【００５２】
図１０は、本発明の撮像装置の第２の実施の形態を示すデジタルビデオカメラ６０である。このデジタルビデオカメラ６０が第１の実施の形態のデジタルビデオカメラ１と異なるところは、表示装置６１の開閉反射手段６３である。この実施の形態の構成のうち第１の実施の形態のデジタルビデオカメラ１と共通する部分には同一符号を付して詳細な説明を省略する。
【００５３】
図１０に示すように、デジタルビデオカメラ６０に設けた表示装置６１の開閉反射手段６３は、パネルケース２１にそれぞれヒンジ手段により取り付けられて全体で光源用開口部２６を開閉可能な複数枚の開閉扉６４と、これら複数の開閉扉６４の内面にそれぞれ形成された反射部材の一具体例を示す複数の反射板６５等から構成されている。開閉反射手段６３の複数の開閉扉６４は、同一形状とされていて、それぞれ横長の略長方形をなす板体からなっている。これら複数の開閉扉６４は、光源用開口部２６を閉じた状態おいてパネルケース２１の一部をなして同一面を形成するように構成されている。
【００５４】
複数の反射板６５は、開閉扉６４と同数だけ用意されていて、それぞれ開閉扉６４の内面の略全面を覆う大きさの薄板からなっている。これら反射板６５の材質は、第１の実施の形態の反射板２９と同一であり、アルミニウム合金等の高反射特性を有する材質とされている。これら複数の反射板６５は、開閉反射手段６３を閉じた状態で光源手段２３に対向され、その光源手段２３から光源用開口部２６側に放射される光を、光源用開口部２６と反対側の図には表れない液晶パネル側に反射させる。
【００５５】
また、パネルケース２１の光源用開口部２６の側方には、開閉反射手段６３を開閉するためのスライドボタン６６が設けられている。このスライドボタン６６は、図には表れない連結機構によって複数の開閉扉６４にそれぞれ連結されており、スライドボタン６６を上方へスライド操作することで複数の開閉扉６４が連動して上方へ回動され、光源用開口部２６が開口される。これとは反対にスライドボタン６６を下方へスライド操作することで複数の開閉扉６４が同時に下方に回動され、これにより、光源用開口部２６が閉じられる。
【００５６】
このような構成を有するデジタルビデオカメラ６０においても、表示装置６１に設けた開閉反射手段６３の複数の開閉扉６４を回動させて光源用開口部２６を開口することにより、光源手段２３から光源用開口部２６側に放射される光を、被写体を照らす照明光として利用することができる。しかも、光源手段２３からは、図に表れない液晶パネル側にも光が放射されているため、液晶パネルの表示面で撮影画面を確認することができ、撮影者に快適な撮影状態を提供することができる。
【００５７】
更に、光源用開口部２６を開閉する開閉反射手段６３を、複数の開閉扉６４とこれら複数の開閉扉６４の内面にそれぞれ形成された反射板６５とにより構成したため、光源用開口部２６を開いた際に、パネルケース２１の光源用反射手段側から突出する複数の開閉扉６４の突出量を小さくすることができる。
【００５８】
本実施例では、1つのスライドボタン６６により複数の開閉扉６４を同時に回動させて光源用開口部２６を開閉する構成としたが、例えば、各開閉扉にそれぞれ対応するスライドボタンを設け、各開閉扉を個別に回動させる構成としてもよい。この場合、所望の開閉扉のみを回動させることができ、光源用開口部２６の開閉面積を自由に変更することできる。
【００５９】
図１１は、本発明の撮像装置の第３の実施の形態を示すデジタルビデオカメラ７０である。このデジタルビデオカメラ７０が第１の実施の形態のデジタルビデオカメラ１と異なるところは、表示装置７１のパネルケース７２と開閉反射手段７４である。この実施の形態の構成のうち第１の実施の形態のデジタルビデオカメラ１と共通する部分には同一符号を付して詳細な説明を省略する。
【００６０】
図１１に示すように、デジタルビデオカメラ７０に設けた表示装置７１のパネルケース７２は、第１の実施の形態のパネルケース２１と同様に、略直方体をなす偏平の筐体からなり、一方の平面に開口窓の第２の具体例を示す光源用開口部７３が設けられている。この光源用開口部７２の対向する２つの短辺は、開閉反射手段７３の後述する開閉扉７４を上下方向に移動可能に案内するためのガイド部７３ａ，７３ａとされていて、上下方向に延在される図示しないガイド溝がそれぞれ設けられている。
【００６１】
また、図示しないが、パネルケース７２の光源用開口部７３と反対側の面には、第１の実施の形態のパネルケース２１に設けた液晶用開口部２５と同様の液晶用開口部が設けられている。更に、パネルケース７２には、光源用開口部２６を開閉可能な開閉反射手段７４が設けられている。この開閉反射手段７４は、パネルケース７２にスライド可能に支持されて光源用開口部７３を開閉可能な開閉扉７５と、この開閉扉７５の内面に形成された反射部材の一具体例を示す反射板７６等から構成されている。
【００６２】
開閉反射手段７４の開閉扉７５は、光源用開口部７３に見合った略長方形の板体からなり、光源用開口部７３を閉じた状態おいてパネルケース７２の一部をなして同一面を形成するように構成されている。この開閉扉７５の対向する２つの短辺７５ａ，７５ａには、それぞれ図示しないレール部が設けられており、これらレール部が光源用開口部７３のガイド部７３ａ，７３ａの各ガイド溝にそれぞれ係合される。これにより、開閉扉７５は、パネルケース７２に支持され、上下方向にスライド可能となっている。
【００６３】
本実施の形態においては、開閉扉７５を上方向にスライドさせることで、光源用開口部７３を開く構成としたが、開閉扉を下方向及び左右方向等の適当な方向にスライドさせて光源用開口部を開く構成としても良い。
【００６４】
開閉反射手段７４の反射板７６は、開閉扉７５の内面の略全面を覆う大きさに設定された薄板をなしている。この反射板７６は、第１の実施の形態の反射板２９と同様にアルミニウム合金等の高反射特性を有する材質から形成されている。この反射板７６は、開閉反射手段７４を閉じた状態で光源手段２３に対向され、その光源手段２３から光源用開口部７３側に放射される光を、光源用開口部７３と反対側の図には表れない液晶パネル側に反射させる。
【００６５】
また、パネルケース７２の光源用開口部７３の側方には、開閉反射手段７４の開閉扉７５をスライドさせるためのスライドボタン７７が設けられている。このスライドボタン７７は、図には表れない連結機構によって開閉扉７５に連結されており、スライドボタン７７を上方へスライド操作することで開閉扉７４が上方にスライドされ、光源用開口部７３が開口される。これとは反対にスライドボタン７７を下方へスライド操作することで開閉扉７４が下方にスライドされ、これにより、光源用開口部７２が閉じられる。
【００６６】
このような構成を有するデジタルビデオカメラ７０においても、表示装置７１に設けた開閉反射手段７４の開閉扉７５をスライドさせて光源用開口部７３を開口することにより、光源手段２３から光源用開口部７３側に放射される光を、被写体を照らす照明光として利用することができる。この際、光源手段２３からは、図に表れない液晶パネル側にも光が放射されているため、液晶パネルの表示面で撮影画面を確認することができ、撮影者に快適な撮影状態を提供することができる。
【００６７】
図１２及び図１３は、本発明の撮像装置の第４の実施の形態を示すものである。このデジタルビデオカメラ８０が第１の実施の形態のデジタルビデオカメラ１と異なるところは、表示装置８１である。この実施の形態の構成のうち第１の実施の形態のデジタルビデオカメラ１と共通する部分には同一符号を付して詳細な説明を省略する。
【００６８】
図１３に示すように、デジタルビデオカメラ８０の表示装置８１は、表示装置筐体の第２の具体例を示すパネルケース８２と、このパネルケース８２の一面に表示面８３ａが露出される液晶パネル８３と、液晶パネル８３の背面に配置される光源手段８４等を備えて構成されている。
【００６９】
表示装置８１のパネルケース８２は、第１の実施の形態のパネルケース２１と同様な大きさの略直方体をなす偏平の筐体からなり、一方の平面に液晶パネル８３の表示面８３ａを露出させるための液晶用開口部８５が設けられている。パネルケース８２の液晶用開口部８５と反対側の平面の上部には、光源手段８４の後述する拡張部９７ｂに対向される開口窓の第３の具体例を示す光源用開口部８６が設けられている。図１２に示すように、光源用開口部８６は横長の略長方形をなす角穴からなり、その大きさは光源手段８４の拡張部９７ｂに対応した大きさに設定されている。この光源用開口部８６の一方の長辺には、後述する開閉扉８８を開閉する際に指先を差し込むための凹陥部８６ａが設けられている。
【００７０】
更に、パネルケース８２には、光源用開口部８６を開閉可能な開閉扉８８がヒンジ手段によって取り付けられている。この開閉扉８８は、光源用開口部８６に見合った略長方形の板体からなり、光源用開口部８６を閉じた状態おいてパネルケース８１の一部をなして同一面を形成するように構成されている。
【００７１】
図１３に示すように、開閉扉８８には、第１の実施の形態の開閉扉２８と同様に、扉軸受部８８ａが設けられており、この扉軸受部８８ａと、パネルケース８１に設けられた図に表れないケース軸受部と、これら両軸受部を貫通するヒンジ軸９０によりヒンジ手段が構成されている。これにより、開閉扉８８は、パネルケース８１に取り付けられてヒンジ軸９０を回動中心として上下方向へ回動可能とされていると共に、第１の実施例と同様のばね部材により任意の傾斜角度で保持できるようになっている。
【００７２】
また、パネルケース８１の光源用開口部８６側の内面には、反射部材としての第１の反射板９５ａが設けられている。この第１の反射板９５ａは、第１の実施の形態の反射板２９と同様にアルミニウム合金等の高反射特性を有する材質から形成されており、光源手段８４の後述する本体部９７ａに対向されている。この第１の反射板９５ａにより、光源手段の本体部９７ａから液晶パネル８３と反対側に放射される光が液晶パネル８３側に反射される。
【００７３】
表示装置８１の液晶パネル８３は、横長矩形の平板状をなしており、一方の平面が像を表示する表示面８３ａとされている。この液晶パネル８３は、第１の実施の形態の液晶パネル２２と同様に、透過型液晶ディスプレイや反透過型液晶ディスプレイを適用することができる。液晶パネル８３の表示面８３ａは、パネルケース８１の液晶用開口部８５によって露出されている。
【００７４】
表示装置８１の光源手段８４は、第１の実施の形態の光源手段２３と同様な構成を有しており、導光部材と第１の拡張部材と第１のプリズム部材等を一体的に組み立てた導光組立体９７と、この導光組立体９７の導光部材へ側方から光を放射する図示に表れない光源とを備えて構成されている。この光源手段８４の導光組立体９７は、液晶パネル８３よりも大きく設定されており、液晶パネル８３に対向する本体部９７ａと、この本体部９７ａに連続して液晶パネル８３の外縁から外側に突出すると共に光源用開口部８６に対向される拡張部９７ｂとを有している。
【００７５】
導光組立体９７の拡張部９７ｂの光源用開口部８６と反対側の面には、反射部材としての第２の反射板９５ｂが設けられている。この第２の反射板９５ｂも、第１の反射板９５ａ及び第１の実施の形態の反射板２９と同様に、アルミニウム合金等の高反射特性を有する材質から形成されており、拡張部９７ｂの光源用開口部８６と反対側の面の略全面を覆う大きさに設定されている。この第１の反射板８８により、光源手段の拡張部９７ｂから光源用開口部８６と反対側に放射される光が光源用開口部８６側に反射される。
【００７６】
上述したような構成を有するデジタルビデオカメラ８０は、例えば、次のようにして表示装置８１の光源手段８４から放射される光の一部を、被写体を照らす照明光として利用することができる。まず、図１３等に示すように、表示装置８１の開閉扉８８を上方に回動させてパネルケース８２に設けた光源用開口部８６を開く。これにより、光源用開口部８６から光源手段８４の導光組立体９７の拡張部９７ｂが露出される。この状態において、光源手段２３の光源から放射される光は、導光組立体９７の導光部材によって液晶パネル８３側に導かれる光Ｌ１と、光源用開口部２６側に導かれる光Ｌ２とに分けられる。
【００７７】
このとき、拡張部９７ｂから光源用開口部２６側に進行する光Ｌ２は、光源用開口部２６を通って表示装置４の外部に放射される。更に、拡張部９７ｂから液晶パネル８３側に進行する光Ｌ２は、第２の反射板９５ｂによって反射され、光源用開口部２６側に進行する光Ｌ１´となって光源用開口部２６から外部に放射される。これにより、拡張部９７ｂから放射される光Ｌ２と光Ｌ１´を、被写体を照らす照明光として利用することができ、拡張部９７ｂから放射される光を有効に活用して被写体を照らす照明光の輝度を向上させることができる。
【００７８】
また、液晶パネル８３には、光源用開口部８６を開いた場合と閉じた場合のどちらの場合においても、導光組立体９７の本体部９７ａから液晶パネル８３側に進行する光Ｌ１と、本体部９７ａから光源用開口部２６側に進行する光Ｌ２が第１の反射板９５ａによって反射されることで液晶パネル８３側に進行する光Ｌ２´とが供給される。これにより、光源手段８４から放射される光の一部を、被写体を照らす照明光として使用する場合と使用しない場合のどちらの場合であっても、液晶パネル８３に一定の光を供給することができ、液晶パネル２２の表示面２２ａの輝度を安定させて常に表示された像を鮮明に映し出すことができる。
【００７９】
図１４及び図１５は、本発明の撮像装置の第５の実施の形態を示すデジタルスチルカメラ１００である。このデジタルスチルカメラ１００は、カメラ筐体の一具体例を示すカメラ本体１０２と、被写体の像を光として取り込んでＣＣＤに導く沈胴式のレンズ装置１０３と、カメラ本体１０１に姿勢変更可能に取り付けられた表示装置１０４等を備えて構成されている。
【００８０】
図１４に示すように、カメラ本体１０２は、内部に空間が設けられた横長の筐体からなり、その内部空間には、図示しないが、各種の電子部品が実装された配線基板、バッテリー電源、記憶装置、その他各種の電子部品や機械部品、装置等が収納されている。カメラ本体２を正面から見てやや右側へ偏倚した位置には、レンズ装置１０３が配置されていて、その上方にファインダー窓１０５と、フラッシュ装置の発光部１０６が配置されている。
【００８１】
更に、カメラ本体１０２の正面の左側には、このカメラ本体１０２を把持するための把持部１０２ａが設けられている。この把持部１０２ａは握り易さを考慮して前方に突出されており、その上部に被写体を撮影するためのシャッタボタン１０７と、このシャッタボタン１０７の外縁を囲うリング状のズームレバー１０８が配置されている。また、カメラ本体１０２の上面には、デジタルスチルカメラ１００の機能を切り換えるためのモードダイヤル１０９と電源ボタン１１０が配置されている。
【００８２】
図１５に示すように、カメラ本体１０２の背面の右側には、画像サイズ／削除ボタン１１２と、パソコンやプリンタ等の電子機器に画像を送信するための送信ボタン１１３と、表示装置１０４のＯＮ、ＯＦＦ等を操作する画面表示ボタン１１４と、メニューボタン１１５と、コントロールボタン１１６等が設けられている。更に、カメラ本体１０２の背面の上側には、カメラ本体１０２の正面に設けたファインダー窓１０５を介して被写体の構図を確認するためのファインダー１１８が設けられている。
【００８３】
カメラ本体１０２の背面の左側には、表示装置１０４を収納するために凹ませた収納用凹部１１９が設けられている。この収納用凹部１１９は、表示装置１０４の外形に見合う形状とされており、その外縁のコントロールボタン１１６側に表示装置１０４の姿勢を変更する際に指先を差し込むための凹陥部１１９ａが設けられている。
【００８４】
表示装置１０４は、本発明の撮像装置の第１の実施の形態を示すデジタルビデオカメラ１の表示装置４と同様な構成を有している。即ち、表示装置１０４は、パネルケース１２１と、このパネルケース１２１の一面に表示面１２２ａが露出される液晶パネル１２２と、液晶パネル１２２の背面に配置される光源手段１２３等を備えて構成されている。
【００８５】
図１４に示すように、パネルケース１２１は、略直方体をなす偏平の筐体からなり、液晶パネル１２２の表示面が露出される面と反対側の面に、光源手段１２３の液晶パネル１２２と反対側の面を露出させるための光源用開口部１２６と、この光源用開口部１２６を開閉可能な開閉反射手段１２７が設けられている。光源用開口部１２６は、横長の略長方形をなす角穴からなり、一方の長辺には、開閉反射手段１２７を開閉する際に指先を差し込むための凹陥部１２６ａが設けられている。
【００８６】
開閉反射手段１２７は、パネルケース１２１にヒンジ手段により取り付けられて光源用開口部１２６を開閉可能な開閉扉１２８と、この開閉扉１２８の内面の略全面に取り付けられた図には表れない反射板等から構成されている。開閉反射手段１２７の開閉扉１２８は、光源用開口部１２６に見合った略長方形の板体からなり、光源用開口部１２６を閉じた状態おいてパネルケース１２１の一部をなして同一面を形成するように構成されている。そして、この開閉扉１２８は、ヒンジ手段により回動可能に指示されていると共に、その回動範囲内において任意の傾斜角度で固定できるようになっている。
【００８７】
図１５に示すように、表示装置１０４は、パネルケース１２１の側部に連結された回動支持部１３０を介してカメラ本体１０２に取り付けられている。この回動支持部１３０は、垂直軸を回動中心としてパネルケース１２１を水平方向に略１８０度回動可能とした水平回動部と、水平軸を回動中心としてパネルケース１２１を前後方向に略１８０度回動可能とすると共に、更に加えて上下方向へ略９０度回動可能として合計約２７０度回動可能とした前後回動部とを有している。
【００８８】
これにより、表示装置４は、図１５に示すように、カメラ本体１０２の背面に収納した収納状態と、図１４に示すように、パネルケース１２１を水平方向へ１８０度回動させて液晶パネル１２２を後方へ対向させた状態と、その状態からパネルケース１２１を１８０度回動させて液晶パネル１２２を前方へ対向させた状態等の任意の状態（姿勢）を取ることができるようになっている。
【００８９】
このような構成を有するデジタルスチルカメラ１００においても、表示装置１２１に設けた開閉反射手段１２７の開閉扉１２８を回動させて光源用開口部１２６を開口することにより、光源手段１２３から光源用開口部１２６側に放射される光を、被写体を照らす照明光として利用することができる。しかも、光源手段１２３からは、液晶パネル１２２側にも光が放射されているため、液晶パネル１２２の表示面１２２ａで撮影画面を確認することができ、撮影者に快適な撮影状態を提供することができる。
【００９０】
以上説明したように、本発明の撮像装置によれば、表示装置筐体の液晶パネルの表示面が露出される面と反対側に光源手段を露出させるための開口窓を設けると共に、その開口窓を開閉可能な開閉反射手段を設ける構成としたことにより、開口窓から放射される光を、被写体を照らす照明光として利用することができると共に、液晶パネルの表示面で撮影画面を確認することができる。そのため、被写体に照明光を照らして好適な撮影環境を演出できると共に、液晶パネルによる大きくてきれいな画面を見て快適な撮影を行うことができる。
【００９１】
本発明は、前述しかつ図面に示した実施の形態に限定されるものではなく、その要旨を逸脱しない範囲内で種々の変形実施が可能である。例えば、前記実施の形態においては、撮像装置としてデジタルビデオカメラ及びデジタルスチルカメラを適用した例について説明したが、カメラ機能付き携帯電話機、カメラ機能付き携帯情報端末機（ＰＤＡ）その他各種の撮像装置に適用できるものである。
【図面の簡単な説明】
【００９２】
【図１】本発明の撮像装置の第１の実施の形態を示すデジタルビデオカメラの表示装置を開いた状態を正面側から見た斜視図である。
【図２】図１に示すデジタルビデオカメラの表示装置に設けた開口窓を開閉反射手段によって開いた状態を正面側から見た斜視図である。
【図３】図１に示すデジタルビデオカメラの表示装置に設けた開口窓を開閉反射手段によって閉じた状態の縦断面図である。
【図４】図１に示すデジタルビデオカメラの表示装置に設けた開口窓を開閉反射手段によって開いた状態の縦断面図である。
【図５】図１に示すデジタルビデオカメラの表示装置に設けた開口窓を開閉反射手段によって閉じた状態の横断面図である。
【図６】図１に示すデジタルビデオカメラの表示装置に設けた開口窓を開閉反射手段によって開いた状態の横断面図である。
【図７】図１に示すデジタルビデオカメラの表示装置に設けた開閉反射手段の反射部材の他の例を示す説明図である。
【図８】図１に示すデジタルビデオカメラの表示装置に設けた光源手段の第２の実施例を示す説明図である。
【図９】図１に示すデジタルビデオカメラの表示装置に設けた光源手段の第３の実施例を示す説明図である。
【図１０】本発明の撮像装置の第２の実施の形態を示すデジタルビデオカメラの表示装置を開いた状態を正面側から見た斜視図である。
【図１１】本発明の撮像装置の第３の実施の形態を示すデジタルビデオカメラの表示装置を開いた状態を正面側から見た斜視図である。
【図１２】本発明の撮像装置の第４の実施の形態を示すデジタルビデオカメラの表示装置を開いた状態を正面側から見た斜視図である。
【図１３】図１２に示すデジタルビデオカメラの表示装置に設けた開口窓を開閉反射手段によって閉じた状態の縦断面図である。
【図１４】本発明の撮像装置の第５の実施の形態を示すデジタルスチルカメラの表示装置を開いた状態を正面側から見た斜視図である。
【図１５】図１４に示すデジタルスチルカメラの背面図である。
【符号の説明】
【００９３】
１，６０，７０，８０…デジタルビデオカメラ（撮像装置）、  ２…外装ケース（カメラ筐体）、  ３…レンズ装置、  ４，６１，７１，８１，１０４…表示装置、  ４０，１３０…回動支持部、  ２１，７２，８２，１２１…パネルケース（表示装置筐体）、  ２２，８３，１２２…液晶パネル、  ２３，４３，５３，８４，１２３…光源手段、  ２６，７３，８６，１２６…光源用開口部（開口窓）、  ２７，６３，７４，１２７…開閉反射手段、  ２８，６４，７５，８８，１２８…開閉扉、  ２９，６５，７６，…反射板（反射部材）、  ３１…光源、  ３２…導光部材、  ３３…第１の拡散部材、  ３４…第１のプリズム部材、  ４４…第２の拡散部材、  ４５…第２のプリズム部材、  ５４…有機ＥＬ発光体（エレクトロルミネッセンス発光体）、  ５５ａ，５５ｂ…透明電極部材、  ９５ａ…第１の反射板、  ９５ｂ…第２の反射板、  ９７…導光組立体、  ９７ａ…本体部、  ９７ｂ…拡張部、  １００…デジタルスチルカメラ（撮像装置）
【図１】
2007235575.tif 000003
【図２】
2007235575.tif 000004
【図３】
2007235575.tif 000005
【図４】
2007235575.tif 000006
【図５】
2007235575.tif 000007
【図６】
2007235575.tif 000008
【図７】
2007235575.tif 000009
【図８】
2007235575.tif 000010
【図９】
2007235575.tif 000011
【図１０】
2007235575.tif 000012
【図１１】
2007235575.tif 000013
【図１２】
2007235575.tif 000014
【図１３】
2007235575.tif 000015
【図１４】
2007235575.tif 000016
【図１５】
2007235575.tif 000017